(57)【要約】【課題】  接続可能なサーバユニットとコンソールユニットとの組み合わせを自由に設定可能なＫＶＭ切替器を提供する。【解決手段】  サーバユニット２又はコンソールユニット４と接続可能な複数の接続ポート５０と、複数の接続ポート５０ごとに設けられ、サーバユニット２との通信を行うサーバユニット通信用マイコン３２と、複数の接続ポート５０ごとに設けられ、コンソールユニット４との通信を行うコンソールユニット通信用マイコン３３と、接続ポート５０に接続されたユニットが、サーバユニット２であるのか、コンソールユニット４であるのかを検出し、検出結果に従って、接続ポート５０とサーバユニット通信用マイコン３２又はコンソールユニット通信用マイコン３３を接続するライン切替制御マイコン３１とを有する構成としている。【選択図】        図３
2008242865.tif 000002
【特許請求の範囲】
【請求項１】
複数のサーバ装置にそれぞれ接続した複数のサーバユニットと、該サーバ装置を操作する複数のコンソール装置にそれぞれ接続した複数のコンソールユニットとを接続し、前記サーバ装置と前記コンソール装置との接続を切り替えるＫＶＭ切替器であって、
前記サーバユニット又は前記コンソールユニットと接続可能な複数の接続ポートと、
前記複数の接続ポートごとに設けられ、前記サーバユニットとの通信を行う第１通信手段と、
前記複数の接続ポートごとに設けられ、前記コンソールユニットとの通信を行う第２通信手段と、
前記接続ポートを前記サーバユニットとの接続用又は前記コンソールユニットとの接続用に設定する設定手段と、
前記設定手段の設定に従って、接続ポートに前記第１の通信手段又は前記第２通信手段を接続する制御手段と、
を有することを特徴とするＫＶＭ切替器。
【請求項２】
複数のサーバ装置にそれぞれ接続した複数のサーバユニットと、該サーバ装置を操作する複数のコンソール装置にそれぞれ接続した複数のコンソールユニットとを接続し、前記サーバ装置と前記コンソール装置との接続を切り替えるＫＶＭ切替器であって、
前記サーバユニット又は前記コンソールユニットと接続可能な複数の接続ポートと、
前記複数の接続ポートごとに設けられ、前記サーバユニットとの通信を行う第１通信手段と、
前記複数の接続ポートごとに設けられ、前記コンソールユニットとの通信を行う第２通信手段と、
前記接続ポートに接続されたユニットが、前記サーバユニットであるのか、前記コンソールユニットであるのかを検出する検出手段と、
前記検出手段の検出結果に従って、接続ポートと前記第１の通信手段又は前記第２通信手段とを接続する制御手段と、
を有することを特徴とするＫＶＭ切替器。
【請求項３】
前記接続ポートに接続されたユニットが前記サーバユニットであるのか、前記コンソールユニットであるのかを表示する表示手段を有することを特徴とする請求項１又は２記載のＫＶＭ切替器。
【請求項４】
前記表示手段は、ＬＣＤの表示装置と、ＬＥＤの表示装置との少なくとも１つを有することを特徴とする請求項３記載のＫＶＭ切替器。
【請求項５】
前記ＫＶＭ切替器に接続可能な前記サーバユニットと前記コンソールユニットとの数を制限する制限情報を設定する設定手段と、
前記制限情報を記憶する記憶手段とを有し、
前記制御手段は、前記制限情報を超える前記サーバユニットと前記コンソールユニットの接続を制限することを特徴とする請求項１又は２記載のＫＶＭ切替器。
【請求項６】
前記設定手段は、前記ＫＶＭ切替器に接続された前記コンソール装置のキーボードであることを特徴とする請求項１又は５記載のＫＶＭ切替器。
【請求項７】
前記設定手段は、前記ＫＶＭ切替器に設けられた操作パネルであることを特徴とする請求項１又は５記載のＫＶＭ切替器。
【発明の詳細な説明】
【技術分野】
【０００１】
本発明は、複数のサーバ装置をキーボード、マウス、ディスプレイを備えたコンソール装置で操作する際に、サーバ装置とコンソール装置との間に配置されるＫＶＭ（Ｋｅｙｂｏａｒｄ／Ｖｉｄｅｏ／Ｍｏｕｓｅ）システムに関する。
【背景技術】
【０００２】
ＫＶＭシステムは、コンソール装置と複数のサーバ装置との間に接続され、コンソール装置と複数のサーバ装置のいずれか１つとの接続をアクティブにするものである。ユーザはＫＶＭシステムを用いて、複数のサーバ装置の中からコンソール装置に接続すべきサーバ装置を選択して利用する。
【０００３】
図１に従来のＫＶＭシステムの構成を示す。ＫＶＭシステムは、サーバ装置１ａ，１ｂ・・・１ｎ（以下、任意のコンピュータ装置を指す時に、代表する番号として「１」と表記する）側に設けられたサーバユニット２ａ，２ｂ・・・２ｎ（以下、任意のサーバユニットを指す時には、代表する番号として「２」と表記する）と、キーボード６ａ，６ｂ・・・６ｎ（以下、任意のキーボードを指す時に、代表する番号として「６」と表記する）、マウス７ａ，７ｂ・・・７ｎ（以下、任意のマウスを指す時に、代表する番号として「７」と表記する）、モニタ５ａ，５ｂ・・・５ｎ（以下、任意のモニタを指す時に、代表する番号として「５」と表記する）等のコンソール装置側に設けられたコンソールユニット４ａ，４ｂ・・・４ｎ（以下、任意のコンソールユニットを指す時に、代表する番号として「４」と表記する）と、これらのユニット間に設けられ、接続するサーバ装置１とコンソール装置とを切り替えるスイッチを有するメインユニット３とを有している。以下では、メインユニット３のことをＫＶＭ切替器ともいう。
【０００４】
特許文献１は、ＫＶＭ切替器が、コンピュータ装置に接続するための複数のポートを有するモジュールが装着可能に構成された複数のスロットと、コンピュータ装置が接続されたポートとコンソール装置とを選択的に接続するための操作手段とを有している。
【０００５】
また、特許文献２は、複数のローカルコンピュータと、このローカルコンピュータを制御する制御装置とが無線で接続されている。制御装置は、ローカルコンピュータから受信したローカル制御信号をＫＶＭスイッチを介してターゲットコンピュータに送信している。
【０００６】
【特許文献１】特開２００５−１８１３５号公報
【特許文献２】特開２００６−７２９６２号公報
【発明の開示】
【発明が解決しようとする課題】
【０００７】
しかしながら、ＫＶＭ切替器は、接続可能なコンソールユニットとサーバユニットの数が固定されており、システムを再構築する際、使用したいコンソールユニット数とサーバユニット数とがメインユニットに適応しなかった場合、新しいＫＶＭ切替器を用意しなければならなかった。
【０００８】
特許文献１に開示の発明は、ＫＶＭ切替器を介して一つのコンソール装置と複数のコンピュータ装置とを接続する構成であり、ＫＶＭスイッチに接続するコンソール装置の個数と、サーバ装置の個数とを自由に設定可能にする技術ではない。
【０００９】
また、特許文献２もＫＶＭ切替器に接続されているのは、複数のローカルコンピュータではなく、制御装置であり、ＫＶＭスイッチに接続するコンソール装置の個数と、サーバ装置の個数とを自由に設定可能にする技術ではない。
【００１０】
本発明は上記事情に鑑みてなされたものであり、接続可能なサーバユニットとコンソールユニットとの組み合わせを自由に設定可能なＫＶＭ切替器を提供することを目的とする。
【課題を解決するための手段】
【００１１】
かかる目的を達成するために、本発明のＫＶＭ切替器は、複数のサーバ装置にそれぞれ接続した複数のサーバユニットと、該サーバ装置を操作する複数のコンソール装置にそれぞれ接続した複数のコンソールユニットとを接続し、前記サーバ装置と前記コンソール装置との接続を切り替えるＫＶＭ切替器であって、前記サーバユニット又は前記コンソールユニットと接続可能な複数の接続ポートと、前記複数の接続ポートごとに設けられ、前記サーバユニットとの通信を行う第１通信手段と、前記複数の接続ポートごとに設けられ、前記コンソールユニットとの通信を行う第２通信手段と、前記接続ポートを前記サーバユニットとの接続用又は前記コンソールユニットとの接続用に設定する設定手段と、前記設定手段の設定に従って、接続ポートに前記第１の通信手段又は前記第２通信手段を接続する制御手段と、を有する構成としている。
従って、接続可能なサーバユニットとコンソールユニットとの組み合わせを自由に設定することができる。
【００１２】
本発明のＫＶＭ切替器は、複数のサーバ装置にそれぞれ接続した複数のサーバユニットと、該サーバ装置を操作する複数のコンソール装置にそれぞれ接続した複数のコンソールユニットとを接続し、前記サーバ装置と前記コンソール装置との接続を切り替えるＫＶＭ切替器であって、前記サーバユニット又は前記コンソールユニットと接続可能な複数の接続ポートと、前記複数の接続ポートごとに設けられ、前記サーバユニットとの通信を行う第１通信手段と、前記複数の接続ポートごとに設けられ、前記コンソールユニットとの通信を行う第２通信手段と、前記接続ポートに接続されたユニットが、前記サーバユニットであるのか、前記コンソールユニットであるのかを検出する検出手段と、前記検出手段の検出結果に従って、接続ポートと前記第１の通信手段又は前記第２通信手段とを接続する制御手段と、を有する構成としている。
従って、接続可能なサーバユニットとコンソールユニットとの組み合わせを自由に設定することができる。
【００１３】
上記ＫＶＭ切替器において、前記接続ポートに接続されたユニットが前記サーバユニットであるのか、前記コンソールユニットであるのかを表示する表示手段を有するとよい。
従って、接続ポートに接続されたユニットがサーバユニットであるのか、ユーザユニットであるのかを表示させることができる。
【００１４】
上記ＫＶＭ切替器において、前記表示手段は、ＬＣＤの表示装置と、ＬＥＤの表示装置との少なくとも１つを有しているとよい。
【００１５】
上記ＫＶＭ切替器において、前記ＫＶＭ切替器に接続可能な前記サーバユニットと前記コンソールユニットとの数を制限する制限情報を設定する設定手段と、前記制限情報を記憶する記憶手段とを有し、前記制御手段は、前記制限情報を超える前記サーバユニットと前記コンソールユニットの接続を制限するとよい。
従って、ＫＶＭ切替器に接続するサーバユニットと、コンソールユニットの数を制限することができる。
【００１６】
上記ＫＶＭ切替器において、前記設定手段は、前記ＫＶＭ切替器に接続された前記コンソール装置のキーボードであるとよい。また、前記設定手段は、前記ＫＶＭ切替器に設けられた操作パネルであるとよい。
【発明を実施するための最良の形態】
【００１７】
添付図面を参照しながら本発明の最良の実施例を説明する。
【実施例】
【００１８】
本実施例のＫＶＭシステムも、図１に示すようにサーバ装置１ａ，１ｂ，・・・，１ｎ側に設けられたサーバユニット２ａ，２ｂ，・・・，２ｎと、キーボード６ａ，６ｂ，・・・６ｎ、マウス７ａ，７ｂ，・・・，７ｍ、モニタ５ａ，５ｂ，・・・，５ｍ等のコンソール装置側に設けられたコンソールユニット４ａ，４ｂ，・・・４ｍと、これらのユニット間に設けられ、接続するサーバ装置１ａ，１ｂ，・・・，１ｎとコンソール装置とを切り替えるスイッチを有するメインユニット（本発明のＫＶＭ切替器に該当する）３とを有している。
【００１９】
図２に、メインユニット３の外観を示す。メインユニット３には、図２に示すように表示装置５１、キーボード５４、マウス５５等が接続されている。表示装置５１には、メインユニット３の設定情報が表示され、キーボード５４やマウスは、メインユニット３の設定を操作することができる。図２に示す例では、表示装置５１は、各接続ポート５０がサーバユニット２との接続に設定されているのか、コンソールユニット４との接続に設定されているのかを表す情報と、接続ポート５０に接続する通信用ユニットを自動で切り替えるのか、ユーザの設定によって切り替えるのかを表す情報と、接続ポートに接続可能なコンソールユニット４とサーバユニット２の数を制限する制限情報とが示されている。これらの情報については、後述する。
【００２０】
また、メインユニット３には、ＬＣＤ（Liquid Crystal Display）の表示部５２と、操作ボタンを備えた操作パネル５３とが設けられている。ＬＣＤの表示部５２は、情報をスクロールしながら表示することができるようになっており、操作パネル５３の操作ボタンやマウス５５の操作によって表示をスクロールさせる。また操作パネル５３の操作によって表示装置５１の表示や、ＬＣＤの表示部５２の表示を切り替えることができる。
【００２１】
また、メインユニット３は、図２に示すように、前面部に複数の接続ポート５０を有している。接続ポート５０には、サーバユニット２やコンソールユニット４を接続可能となっている。
【００２２】
図３に、メインユニット３の構成を示す。メインユニット３は、複数の接続ポート５０ごとに、サーバユニット２との通信用のマイコンであるサーバユニット通信用マイコン３２と、コンソールユニット４との通信用のマイコンであるコンソールユニット通信用マイコン３３とを有している。なお、図３には、簡単のため３つの接続ポート５０と、この３つの接続ポート５０に対応してそれぞれ設けられたサーバユニット通信用マイコン３２と、コンソールユニット通信用マイコン３３とを示す。
【００２３】
また、メインユニット３は、ライン切替制御マイコン３１と、メイン制御マイコン３４とを有している。
ライン切替制御マイコン３１は、メイン制御マイコン３４の制御に従って、接続ポート５０にサーバユニット２が接続された場合には、この接続ポート５０にサーバユニット通信用マイコン３２を接続する。また、接続ポート５０にコンソールユニット４が接続された場合には、接続ポート５０にコンソールユニット通信用マイコン３３を接続する。
【００２４】
図４を参照しながらメイン制御マイコン３４の機能を説明する。
メイン制御マイコン３４は、図４に示すように表示装置５１に表示する表示情報を制御したり、メインユニット３の具備するＬＥＤ(Light Emitting Diode)７１、７２（図８参照）の点灯制御を行ったり、コンソールユニット４を介してキードード６のキー入力を監視したり、コンソール装置のモニタ５の表示制御を行う。また、メインユニット３に設けられた操作パネル５３のパネル操作を監視したり、ライン切替制御マイコン３１と通信を行って、ライン切替制御マイコン３１を制御する。ライン切替制御マイコン３１に通知される制御情報には、接続ポート５０の切替命令や、オート接続モードとマニュアル接続モードとの指定情報が含まれる。
【００２５】
また、図４には、ライン切替制御マイコン３１からメイン制御マイコン３４に通知される制御情報が示されている。
ライン切替制御マイコン３１からメイン制御マイコン３４には、サーバユニット通信用マイコン３２又はコンソールユニット通信用マイコン３３と接続ポート５０との接続情報、接続ポート５０に接続されたユニットを判別する判別情報、接続ポート５０の接続状態を監視した監視情報、コンソールユニット４とサーバユニット２との接続限度数の監視情報などが含まれる。
【００２６】
本実施例のメインユニット３には、上述したように複数の接続ポート５０に、サーバユニット通信用マイコン３２と、コンソールユニット通信用マイコン３３とがそれぞれに備えられている。メインユニット３は、ユーザの設定、又は接続ポート５０に接続されたユニットにより自動的に、接続ポート５０に接続する通信用ユニットを切り替える。
【００２７】
まず、図６に示すフローチャートを参照しながら接続ポート５０に接続する通信用ユニットを切り替えるメイン制御マイコン３４の処理手順を説明する。
メイン制御マイコン３４は、ユーザからの操作入力によって、マニュアル接続モードに設定され（ステップＳ１／ＹＥＳ）、ユーザからポート設定情報の入力を受け付けると（ステップＳ２／ＹＥＳ）、設定されたポート設定を解析する。ユーザの操作入力を受け付ける操作手段には、メインユニット３のキーボード５４、マウス５５、操作パネル５３の他に、メインユニット３に接続したコンソールユニット４のキーボード６やマウス７からも操作することができる。
メイン制御マイコン３４は、解析結果に従い、接続ポート５０と通信用マイコンとを接続する指示をライン切替制御マイコン３１に出力する。ライン切替制御マイコン３１は、ユーザの設定により、コンソールユニット４との接続に設定された接続ポート５０には、コンソールユニット通信用マイコン３３を接続し、サーバユニット２との接続に設定された接続ポート５０には、サーバユニット通信用マイコン３２を接続する。
【００２８】
また、ユーザによって、オート接続モードに設定されると（ステップＳ１／ＮＯ）、メイン制御マイコン３４は、ユーザが設定したポート情報を無効化する通知と、オート接続モードとをライン切替制御マイコン３１に通知する（ステップＳ５）。
【００２９】
次に、図７を参照しながらオート接続モードに設定されたときのライン切替制御マイコン３１の制御手順を説明する。
メイン制御マイコン３４からオート接続モードへの設定と、ポート設定の無効化情報とを受信すると（ステップＳ１１／ＹＥＳ）、ライン切替制御マイコン３１は、まず、接続ポート５０の設定を無効化する。
次に、ライン切替制御マイコン３１は、接続ポート５０への接続を検出すると（ステップＳ１３）、コネクトコマンドの受信を待機する（ステップＳ１４）。コネクトコマンドは、メインユニット３への接続後、コンソールユニット４から出力される接続コマンドである。ライン切替制御マイコン３１は、接続検出後、コネクトコマンドを受信することで接続ポート５０に接続されたユニットがコンソールユニット４であると判定する。ライン切替制御マイコン３１は、コンソールユニット４の接続を検出すると、接続ポート５０にコンソールユニット通信用マイコン３３を接続する。
【００３０】
また、接続を検知後、一定時間を経過してもコネクトコマンドを受信することができなかった場合には（ステップＳ１４／ＮＯ）、メインユニット３は、接続ポート５０にサーバユニット２が接続されたと判定し、接続ポート５０にサーバユニット通信用マイコン３２を接続する。
【００３１】
このようにしてメインユニット３は、接続可能なサーバユニット２とコンソールユニット４との組み合わせを自由に設定可能とすることができる。
【００３２】
また、図８に示すようにメインユニット３に設けた接続ポート５０の上部には、接続ポート５０に接続されたユニットがサーバユニット２であるのか、コンソールユニット４であるのかを示すＬＥＤ７１、７２が設けられている。例えば、上段の接続ポート５０の接続状態をＬＥＤ７１で表示し、下段の接続ポート５０の接続状態をＬＥＤ７２で表示する。
ＬＥＤ７１は、ＬＥＤ７１ａとＬＥＤ７１ｂとからなり、例えば、左側のＬＥＤ７１ａが点灯した場合に、サーバユニット２の接続を示し、右側のＬＥＤ７１ｂが点灯した場合には、コンソールユニット４の接続を示す。また、ＬＥＤの位置で接続されたユニットを表示するのではなく、ＬＥＤの表示色で接続されたユニットを表示させてもよい。例えば、赤色が点灯した場合には、サーバユニット２の接続を示し、青色が点灯した場合には、コンソールユニット４の接続を示すといった具合である。なお、ＬＥＤ７２もＬＥＤ７１と同様である。
【００３３】
図９に示すフローチャートを参照しながらメイン制御マイコン３４によるＬＥＤ７１、７２の点灯制御について説明する。
メイン制御マイコン３４は、ライン切替制御マイコン３１から接続ポート５０に接続されたユニットの情報（以下、接続情報という）を取得する（ステップＳ２１）。この接続情報により、接続ポート５０に接続されているユニットがコンソールユニット４の場合（ステップＳ２２／ＹＥＳ）、メイン制御マイコン３４は、コンソールユニット４の接続を示すＬＥＤを点灯させる、又はコンソールユニット４の接続を示す色をＬＥＤに点灯させる（ステップＳ２３）。
【００３４】
また、接続ポート５０に接続されているユニットがサーバユニット２の場合（ステップＳ２２／ＮＯ）、メイン制御マイコン３４は、サーバユニット２の接続を示すＬＥＤを点灯させる、又はサーバユニット２の接続を示す色をＬＥＤに点灯させる（ステップＳ２４）。
【００３５】
また、本実施例は、複数設けた接続ポート５０のうち、コンソールユニット４とサーバユニット２とを接続できる接続数に制限を設けることができる。例えば、サーバユニット２の接続に制限数を設定することで、メインユニット３に接続できるコンソールユニット４の接続ポート５０を確保することができる。逆に、コンソールユニット４の接続に制限数を設定することで、メインユニット３に接続できるサーバユニット２の接続ポート５０を確保することができる。
【００３６】
図１０に示すフローチャートを参照しながら、制限数を設定した場合の接続メイン制御マイコン３４の処理手順を説明する。
メイン制御マイコン３４は、ライン切替制御マイコン３１からコンソールユニット４の接続情報を受信すると（ステップＳ３１／ＹＥＳ）、コンソールユニット４の接続数が制限数を超えているか否かを判定する（ステップＳ３２）。ここでは、コンソールユニット４の接続制限数をＮとする。メイン制御マイコン３４は、コンソールユニット４の接続数が制限数Ｎを超えていた場合には（ステップＳ３２／ＹＥＳ）、コンソールユニット４の接続不可をライン切替制御マイコン３１に通知する（ステップＳ３４）。また、メイン制御マイコン３４は、コンソールユニット４の接続数が制限数Ｎを超えていなかった場合には（ステップＳ３２／ＮＯ）、コンソールユニット４の接続許可をライン切替制御マイコン３１に通知する（ステップＳ３３）。
【００３７】
また、メイン制御マイコン３４は、ライン切替制御マイコン３１からサーバユニット２の接続情報を受信すると（ステップＳ３５／ＹＥＳ）、サーバユニット２の接続数が制限数を超えているか否かを判定する（ステップＳ３６）。ここでは、サーバユニット２の接続制限数をＭとする。メイン制御マイコン３４は、サーバユニット２の接続数が制限数Ｍを超えていた場合には（ステップＳ３６／ＹＥＳ）、サーバユニット２の接続不可をライン切替制御マイコン３１に通知する（ステップＳ３７）。また、メイン制御マイコン３４は、サーバユニット２の接続数が制限数Ｍを超えていなかった場合には（ステップＳ３６／ＮＯ）、サーバユニット２の接続許可をライン切替制御マイコン３１に通知する（ステップＳ３８）。
【００３８】
次に、図１１を参照しながら、メイン制御マイコン３４による表示装置５１、ＬＣＤの表示部５２の表示制御の手順を説明する。
メイン制御マイコン３４は、キーボード５４又は接続されたコンソールユニット４のキーボード６によるキー操作、操作パネル５３の操作を監視している（ステップＳ３１）。これらの操作手段により、表示装置５１又は接続されたコンソールユニット４のモニタ５に設定情報の表示要求を受け付けると（ステップＳ３２／ＹＥＳ）、メイン制御マイコン３４は、表示装置５１に表示させる画面データを作成する（ステップＳ３３）。作成した画面データを表示装置５１に表示したり、コンソルユニットへ送信する画像信号に画像データを付加してコンソールユニット４へ送信し、モニタ５に表示させる（ステップＳ３４）。
【００３９】
また、ＬＣＤの表示部５２に設定情報の表示要求を受け付けると（ステップＳ３５／ＹＥＳ）、メイン制御マイコン３４はＬＣＤ用の画面データを生成し（ステップＳ３６）、ＬＣＤの表示部５２に表示させる。
【００４０】
その後、メイン制御マイコン３４は、上述した操作手段からの操作入力を監視する（ステップＳ３８）。操作手段より、設定キーの入力や画面移動キーの入力があると（ステップＳ３９）、操作手段の入力結果に従って、画面データを再構成し、画像信号に再構成した画面データを付加して送信する、又は表示装置５１やＬＣＤの表示部５２に表示させる（ステップＳ４１）。その後、操作手段からの操作入力に従って、保持しているポート設定の更新を行ったり、保持している接続設定を更新したり、ライン切替制御マイコン３１に切替命令を送信する（ステップＳ４２）。また、操作手段より終了キーの入力があると（ステップＳ４０／ＹＥＳ）、表示装置、ＬＣＤの表示部５２、コンソールユニット４のモニタ５への表示を終了させる。
【００４１】
上述した実施例は、本発明の好適な実施例である。但し、これに限定されるものではなく、本発明の要旨を逸脱しない範囲内において種々変形実施可能である。
【図面の簡単な説明】
【００４２】
【図１】システム構成を示す構成図である。
【図２】メインユニットの外観を示す図である。
【図３】メインユニットの内部構成を示す図である。
【図４】メイン制御マイコンの制御対象と、制御対象に送信される制御情報とを示す図である。
【図５】ライン切替制御マイコンからメイン制御マイコンに送信される制御情報を示す図である。
【図６】接続ポート設定時のメイン制御マイコンの処理手順を示すフローチャートである。
【図７】接続ポート設定時のライン切替制御マイコンの処理手順を示すフローチャートである。
【図８】接続ポートとその上部に設けたＬＥＤとを示す図である。
【図９】メイン制御マイコン３によるＬＥＤの点灯制御手順を示す図である。
【図１０】接続ポートに接続制限を設けたときのメイン制御マイコンの処理手順を示すフローチャートである。
【図１１】表示制御時のメイン制御マイコンの処理手順を示すフローチャートである。
【符号の説明】
【００４３】
１  サーバ装置
２  サーバユニット
３  メインユニット
４  コンソールユニット
５  モニタ
６  キーボード
７  マウス
３１  ライン切替制御マイコン
３２サーバユニット通信用マイコン
３３  コンソールユニット通信用マイコン
３４  メイン制御マイコン
５０  接続ポート
５１  表示装置
５２  ＬＣＤ表示部
５３  操作パネル
５４  キーボード
５５  マウス
【図１】
2008242865.tif 000003
【図２】
2008242865.tif 000004
【図３】
2008242865.tif 000005
【図４】
2008242865.tif 000006
【図５】
2008242865.tif 000007
【図６】
2008242865.tif 000008
【図７】
2008242865.tif 000009
【図８】
2008242865.tif 000010
【図９】
2008242865.tif 000011
【図１０】
2008242865.tif 000012
【図１１】
2008242865.tif 000013